(57)【要約】【課題】撮像部の片側に照明用光源が設けられる構成でも、撮像部の撮像範囲全体に照明光を均一に照射すること。【解決手段】情報読取装置１００は、撮像範囲内の画像を撮像する撮像部１０と、撮像部１０の光軸に直交する方向において撮像部１０の何れか一方の側に配置され、照明レンズ３０１を介して、光源から発せられる光を撮像範囲に投光する照明部３０と、を具備する。照明レンズ３０１は、レンズ面３５０ａとレンズ面３５０ｂとの間の側面に形成され、光が前像範囲の端部に照射されるように光を反射させるリフレクタ面３６０と、を含み、リフレクタ面３６０は、互いに対向する複数のペアから形成され、各ペアにおいて、撮像部１０から遠い第１のリフレクタ面と撮像部１０の撮像面とが成す角度は、撮像部１０に近い第２のリフレクタ面と撮像面とが成す角度よりも大きい。【選択図】図３
2018132701.tif 000002
【特許請求の範囲】
【請求項１】
撮像範囲内の画像を撮像する撮像部と、
前記撮像部の光軸に直交する方向において前記撮像部の何れか一方の側に配置され、照明レンズを介して、光源から発せられる光を前記撮像範囲に投光する照明部と、
を具備し、
前記照明レンズは、
前記光が入射する第１のレンズ面と、
前記光が出射する第２のレンズ面と、
前記第１のレンズ面と前記第２のレンズ面との間の側面に形成され、前記光が前記撮像範囲の端部に照射されるように前記光を反射させるリフレクタ面と、を含み、
前記リフレクタ面は、互いに対向する複数のペアから形成され、
各ペアにおいて、前記撮像部から遠い第１のリフレクタ面と前記撮像部の撮像面とが成す角度は、前記撮像部に近い第２のリフレクタ面と前記撮像面とが成す角度よりも大きい、
情報読取装置。
【請求項２】
撮像範囲内の画像を撮像する撮像部と、
前記撮像部の光軸に直交する方向において前記撮像部の何れか一方の側に配置され、照明レンズを介して、光源から発せられる光を前記撮像範囲に投光する照明部と、
を具備し、
前記照明レンズは、円柱又は楕円柱であり、
前記光が入射する第１のレンズ面と、
前記光が出射する第２のレンズ面と、
前記第１のレンズ面と前記第２のレンズ面との間の側面に形成され、前記光が前記撮像範囲の端部に照射されるように前記光を反射させるリフレクタ面と、を含み、
前記リフレクタ面において、前記撮像部から最も遠い第１の母線と前記撮像部の撮像面とが成す角度は、前記撮像部に最も近い第２の母線と前記撮像面とが成す角度よりも大きい、
情報読取装置。
【請求項３】
照明部は、前記リフレクタ面で反射される前記光を、前記撮像部の光軸方向において、前記撮像範囲のうち、前記光源の光軸に対して当該リフレクタ面と反対側の領域に投光する、
請求項１又は２に記載の情報読取装置。
【請求項４】
前記リフレクタ面の色は、透明、白色系又は銀色である、
請求項１から３の何れかに記載の情報読取装置。
【発明の詳細な説明】
【技術分野】
【０００１】
本発明は、情報読取装置に関する。
【背景技術】
【０００２】
バーコード、２次元コード等のコード記号を読み取る情報読取部（例えば、バーコードリーダ等）において、情報読取装置の筐体の中心に撮像部（撮像センサ及び撮像レンズ）を設け、撮像部の両側に照明用のＬＥＤ（Light Emitting Diode）を設ける構成が提案されている（例えば、特許文献１を参照）。この構成により、撮像部の撮像範囲（視野範囲）において照明光を撮像光軸に対して対称に照射することができる。ただし、撮像部の両側に照明用のＬＥＤを設ける構成では情報読取装置の小型化を実現することができない。これに対して、特許文献２には、情報読取装置において、撮像部の片側に１つの照明用のＬＥＤを設ける構成が開示されている（例えば、特許文献２を参照）。
【先行技術文献】
【特許文献】
【０００３】
【特許文献１】米国特許第８９１０７８２号明細書
【特許文献２】米国特許第９２１３８８０号明細書
【発明の概要】
【発明が解決しようとする課題】
【０００４】
しかしながら、特許文献２のように、照明用光源（ＬＥＤ）が撮像部の片側に設けられた構成では、特に、画角周辺部の光量を十分に確保することが困難であり、撮像部の撮像範囲全体に照明光を均一に照射できなくなるという問題がある。
【０００５】
本発明の目的は、撮像部の片側に照明用光源が設けられる構成でも、撮像部の撮像範囲全体に照明光を均一に照射することができる情報読取装置を提供することである。
【課題を解決するための手段】
【０００６】
本発明の一態様に係る情報読取装置は、撮像範囲内の画像を撮像する撮像部と、前記撮像部の光軸に直交する方向において前記撮像部の何れか一方の側に配置され、照明レンズを介して、光源から発せられる光を前記撮像範囲に投光する照明部と、を具備し、前記照明レンズは、前記光が入射する第１のレンズ面と、前記光が出射する第２のレンズ面と、前記第１のレンズ面と前記第２のレンズ面との間の側面に形成され、前記光が前記撮像範囲の端部に照射されるように前記光を反射させるリフレクタ面と、を含み、前記リフレクタ面は、互いに対向する複数のペアから形成され、各ペアにおいて、前記撮像部から遠い第１のリフレクタ面と前記撮像部の撮像面とが成す角度は、前記撮像部に近い第２のリフレクタ面と前記撮像面とが成す角度よりも大きい。
【０００７】
本発明の一態様に係る情報読取装置は、撮像範囲内の画像を撮像する撮像部と、前記撮像部の光軸に直交する方向において前記撮像部の何れか一方の側に配置され、照明レンズを介して、光源から発せられる光を前記撮像範囲に投光する照明部と、を具備し、前記照明レンズは、円柱又は楕円柱であり、前記光が入射する第１のレンズ面と、前記光が出射する第２のレンズ面と、前記第１のレンズ面と前記第２のレンズ面との間の側面に形成され、前記光が前記撮像範囲の端部に照射されるように前記光を反射させるリフレクタ面と、を含み、前記リフレクタ面において、前記撮像部から最も遠い第１の母線と前記撮像部の撮像面とが成す角度は、前記撮像部に最も近い第２の母線と前記撮像面とが成す角度よりも大きい。
【発明の効果】
【０００８】
本発明によれば、撮像部の片側に照明用光源が設けられる構成でも、撮像部の撮像範囲全体に照明光を均一に照射することができる。
【図面の簡単な説明】
【０００９】
【図１】読取装置の外観の一例を示す斜視図
【図２】読取装置の構成を示すブロック図
【図３】照明レンズの外観の一例を示す斜視図
【図４】リフレクタ面における入射角と反射角との関係を示す図
【図５】読取装置における撮像範囲と照明光の照射範囲との関係を示す図
【図６】画角長手方向における照明レンズの構成例を示す図
【図７】画角短手方向における照明レンズの構成例を示す図
【図８】照明用光源と照明レンズとの位置関係の説明に供する図
【発明を実施するための形態】
【００１０】
以下、本開示の実施の形態について図面を参照して詳細に説明する。
【００１１】
［読取装置の構成］
図１は、本実施の形態に係る情報読取装置１（以下、単に「読取装置」と呼ぶ）の外観の一例を示す斜視図である。また、図２は、本実施の形態に係る読取装置１の構成を示すブロック図である。
【００１２】
図１及び図２において、読取装置１は、撮像部１０と、エイミング部２０と、照明部３０と、制御部４０（図１では省略）と、筐体５０とを含む。読取装置１は、例えば、撮像部１０により読取対象物上のコード記号を撮像して画像データを生成し、画像データを解析することにより、読取対象物体上のコード記号（情報）を読み取る。
【００１３】
なお、以下の説明では、ｘ軸方向を撮像部１０の撮像範囲（画角範囲）における「画角長手方向」とし、ｙ軸方向を撮像部１０の撮像範囲における「画角短手方向」とする。つまり、以下の説明では、撮像範囲は、ｘ軸方向を長手方向とし、ｙ軸方向を短手方向とする長方形である。なお、撮像部１０の撮像範囲は長方形に限定されず、他の形状でもよい。
【００１４】
筐体５０は、少なくとも、撮像部１０、エイミング部２０、照明部３０及び制御部４０を収容する。
【００１５】
撮像部１０は、撮像範囲内の画像を撮像する。撮像部１０は、撮像レンズ１０１及び撮像センサ１０２を備える。
【００１６】
撮像レンズ１０１は、撮像対象物からの反射光を、撮像センサ１０２上に結像させるための光学系である。撮像レンズ１０１は、１枚のレンズで構成されてもよく、複数のレンズで構成されてもよい。また、撮像レンズ１０１は、フォーカスを調整可能なレンズでもよい。
【００１７】
撮像センサ１０２は、撮像レンズ１０１により形成された撮像対象物の画像を撮像する。例えば、撮像センサ１０２は、ＣＭＯＳ（相補性金属酸化膜半導体）イメージセンサ等で構成され、光信号を電気信号に変換することにより、撮像対象物の画像を撮像する。撮像センサ１０２は、撮像した画像の画像データを制御部４０へ出力する。
【００１８】
エイミング部２０は、撮像部１０により撮像可能な撮像範囲の目安を示すマークを撮像対象物上に形成するためのエイマ光を投光する。
【００１９】
照明部３０は、撮像部１０が撮像する撮像範囲に照明光を投光する。図１に示すように、照明部３０は、撮像部１０の撮像光軸（ｚ軸方向）に直交する方向（図１ではｘ軸方向）において撮像部１０の片側（図１では左側）に配置されている。なお、照明部３０が配置される位置は、図１に示す位置に限定されず、例えば、図１において、撮像部１０の右側に配置されてもよい。
【００２０】
照明部３０は、照明レンズ３０１及び照明用光源３０２を備える。
【００２１】
照明レンズ３０１は、照明用光源３０２から発せられる光を照明光として外部へ投光するための光学系を構成する。照明レンズ３０１は、撮像部１０の撮像範囲全体に照明光が均一に照射されるように構成される。照明レンズ３０１は、例えば、アクリル等の樹脂レンズでもよく、他の素材で形成されてもよい。なお、照明レンズ３０１の詳細な構成については後述する。
【００２２】
照明用光源３０２は、例えば、ＬＥＤであり、照明光として撮像部１０の撮像範囲に投光する光を発する光源である。なお、照明用光源３０２は、ＬＥＤである場合に限定されない。
【００２３】
制御部４０は、撮像部１０において行われる撮像等の制御、撮像部１０から出力される画像データのデコードの制御、エイミング部２０において行われるエイミング制御、及び、照明部３０において行われる照明光の発光処理の制御等を行う。
【００２４】
なお、読取装置１における制御部４０等の機能ブロックは、例えば、ＣＰＵ（Central Processing Unit）と、ＣＰＵが実行するプログラム又は各種テーブル等のデータを記憶するＲＯＭ（Read Only Memory）と、ＣＰＵが各種の処理を実行する際の作業領域として使用されるＲＡＭ（Random Access Memory）とによって実現されてもよい。ＣＰＵは、読取装置１００全体の動作を制御する。ＣＰＵ、ＲＯＭ、ＲＡＭとしては、例えば、ＡＳＩＣ（Application Specific Integrated Circuit）、フラッシュロム（ＦＲＯＭ）、ＳＤＲＡＭ（Synchronous Dynamic Random Access Memory）等でもよい。また、ＡＳＩＣは、ＣＰＵとＦＰＧＡ（Field Programmable Gate Array）等のＬＳＩとの組み合わせにより実現されてもよい。
【００２５】
また、読取装置１は、更に、読取装置１の外部装置と通信を行うための通信インタフェースを備えてもよい。
【００２６】
［照明レンズ３０１の構成］
図３は、図１に示す読取装置１に設けられた照明レンズ３０１の外観の一例を示す斜視図である。
【００２７】
図３に示す照明レンズ３０１は、照明用光源３０２から発せられる光が入射するレンズ面３５０ａ（図３では底面）、及び、レンズ面３５０ａの反対側に配置され、照明光が外部へ出射するレンズ面３５０ｂ（図３では上面）を備える。レンズ面３５０ａ及びレンズ面３５０ｂはそれぞれ所定の曲率を有してもよい。
【００２８】
また、図３に示す照明レンズ３０１は、レンズ面３５０ａとレンズ面３５０ｂとの間の側面に形成され、レンズ面３５０ａから入射した光を反射する４面のリフレクタ面３６０ａ，３６０ｂ，３６０ｃ，３６０ｄを備える。リフレクタ面３６０は、平面でもよく、光を分散又は集約するために曲線でもよい。
【００２９】
図３に示す照明レンズ３０１では、画角長手方向であるｘ軸方向（つまり、図１の読取装置１の幅方向）においてリフレクタ面３６０ａとリフレクタ面３６０ｂとが互いに対向しており、画角短手方向であるｙ軸方向（つまり、図１の読取装置１の高さ方向）において、リフレクタ面３６０ｃとリフレクタ面３６０ｄとが互いに対向している。つまり、図３に示す４面のリフレクタ面３６０は、互いに対向する複数のペアから形成されている。
【００３０】
また、図３に示す照明レンズ３０１は、図１に示す筐体５０に照明レンズ３０１を取り付けるための取付部３７０を備えてもよい。
【００３１】
照明レンズ３０１のリフレクタ面３６０は、照明用光源３０２から発せられる光が撮像部１０の撮像範囲の端部（つまり、画角周辺部）に照射されるように当該光を反射させる。以下、照明部３０において照明光を投光する構成について具体的に説明する。
【００３２】
まず、画角長手方向（ｘ軸方向）における照明部３０の構成について説明する。
【００３３】
図１に示す読取装置１では、画角長手方向であるｘ軸方向において互いに対向する２つのリフレクタ面３６０ａ，３６０ｂにおいて、リフレクタ面３６０ａは、撮像部１０（撮像レンズ１０１）に近いリフレクタ面であり、リフレクタ面３６０ｂは、撮像部１０から遠いリフレクタ面である。
【００３４】
図４は、各リフレクタ面３６０で反射する光の様子を示す図である。図４では、照明レンズ３０１の屈折率をｎとし、空気の屈折率を１とする。
【００３５】
入射角θ１と屈折率ｎとが次式（１）の関係であるとき、リフレクタ面３６０において光が全反射する。
ｓｉｎθ１＝１／ｎ      （１）
【００３６】
また、光がリフレクタ面３６０で全反射する場合、入射角θ１＝出射角θ２の関係が成り立つ。一例として、照明レンズ３０１がアクリル樹脂で形成される場合、ｎ＝１．４９となり、全反射する入射角θ１＝４２．１５°となる。
【００３７】
例えば、照明部３０では、照明用光源３０２から発せられる光がリフレクタ面３６０において全反射するように、入射角θ１、又は、照明レンズ３０１の素材（屈折率ｎ）が設定されてもよい。また、照明レンズ３０１の外壁（つまり、リフレクタ面３６０）は、透明でもよく、光が確実に全反射するように白色系又は銀色系の塗装が施されてもよい。
【００３８】
次に、図５は、図１に示す読取装置１の上面（つまり、図３に示すリフレクタ面３６０ｃと対向する方向）から見た場合の読取装置１における撮像部１０の撮像範囲と、照明部３０の照明光が照射される範囲との関係を示す一例である。図５において、撮像部１０の撮像範囲は、直線１０１ａと直線１０１ｂとの間の領域である。図５では、一例として、読取装置１から撮像部１０の撮像光軸（以下、「ｚ１０」と表すこともある）方向に所定の距離離れた位置での撮像範囲Ａについて説明する。
【００３９】
図５に示すように、照明部３０（照明レンズ３０１、照明用光源３０２）の光軸（以下、「ｚ３０」と表すこともある）は、ｘ軸において、撮像光軸ｚ１０からずれた位置に設置される。このため、画角長手方向（ｘ軸）において、図５に示す撮像範囲Ａの左端部（直線１０１ａ周辺部）と照明部３０との距離は、図５に示す撮像範囲Ａの右端部（直線１０１ｂ周辺部）と照明部３０との距離よりも離れている。つまり、照明部３０の光軸ｚ３０を中心とした場合、図５に示す撮像範囲Ａはｘ軸上で非対称である。
【００４０】
図５に示す照明部３０と撮像範囲Ａの両端部との位置関係は、撮像光軸ｚ１０と光軸ｚ３０との差（ズレ）に応じて異なる。
【００４１】
そこで、本実施の形態では、各リフレクタ面３６０で反射された光が撮像部１０の撮像範囲の端部に照射されるように、画角長手方向における撮像光軸ｚ１０と光軸ｚ３０との差（ズレ）に応じて、各リフレクタ面３６０と撮像部１０の撮像面（ここではｘ軸と平行）との間の角度が決定される。
【００４２】
図６は、図５に示す照明部３０（照明レンズ３０１及び照明用光源３０２）を拡大した図であり、照明レンズ３０１を通る光の様子を示す図である。なお、図６では、各リフレクタ面３６０で反射する光の様子を示し、各リフレクタ面３６０で反射せずにレンズ面３５０ｂを出射する光の様子を省略する。
【００４３】
具体的には、図６において、リフレクタ面３６０ａと撮像部１０の撮像面（ｘ軸）との間の角度φａは、撮像部１０の撮像範囲のうち、光軸ｚ３０に対してリフレクタ面３６０ａと反対側の領域の端部（図５に示す撮像範囲Ａの右端部（直線１０１ｂ）周辺）にリフレクタ面３６０ａで反射される光（照明光３０１ａ）が投光されるように決定される。
【００４４】
同様に、図６において、リフレクタ面３６０ｂと撮像部１０の撮像面（ｘ軸）との間の角度φｂは、撮像部１０の撮像範囲のうち、光軸ｚ３０に対してリフレクタ面３６０ｂと反対側の領域の端部（図５に示す撮像範囲Ａの左端部（直線１０１ａ）周辺）にリフレクタ面３６０ｂで反射される光（照明光３０１ｂ）が投光されるように決定される。
【００４５】
図５に示すように、画角長手方向における照明部３０（光軸ｚ３０）に対して、撮像範囲Ａの左端部は、撮像範囲Ａの右端部よりも離れている。このため、照明部３０から撮像範囲Ａの左端部（撮像部１０）側に投光される照明光３０１ｂの投光範囲は、照明部３０から撮像範囲Ａの右端部（撮像部１０の反対）側に投光される照明光３０１ａの投光範囲よりも広くする必要がある。
【００４６】
よって、図６では、角度φｂ（つまり、撮像部１０と反対側の広がり角）は、角度φａ（つまり、撮像部１０側の広がり角）よりも大きくなる。すなわち、φａ＜φｂとなる。これにより、例えば、図６に示す光軸ｚ３０に対して同じ大きさの角度の光がリフレクタ面３６０ａ、３６０ｂにそれぞれ入射された場合、φａがφｂよりも大きい分、リフレクタ面３６０ｂに入射する光の入射角θ１（反射する反射角θ２）が、リフレクタ面３６０ａに入射する光の入射角θ１（反射する反射角θ２）よりも小さくなる。よって、画角長手方向において、照明光３０１ｂの投光範囲は、照明光３０１ａの投光範囲よりも広くなる。
【００４７】
これにより、図５に示すように、リフレクタ面３６０ａで反射された照明光３０１ａ（実線）は、撮像範囲Ａの右端部周辺に投光され、リフレクタ面３６０ｂで反射された照明光（一点鎖線）は、照明部３０からの距離が撮像範囲Ａの右端部よりも遠い左端部周辺に投光される。
【００４８】
このように、照明部３０（光軸ｚ３０）と撮像部１０（光軸ｚ１０）との位置関係に応じて、リフレクタ面３６０ａ、３６０ｂにおける角度φａ、φｂがそれぞれ決定される。
【００４９】
換言すると、照明レンズ３０１を形成する４面のリフレクタ面３６０には、画角長手方向で互いに対向するリフレクタ面３６０ａ及びリフレクタ面３６０ｂのペアが含まれる。そして、リフレクタ面３６０ａ及びリフレクタ面３６０ｂのペアにおいて、撮像部１０から遠いリフレクタ面３６０ｂと撮像部１０の撮像面とが成す角度φｂは、撮像部１０に近いリフレクタ面３６０ａと撮像面とが成す角度φｂよりも大きくなる。
【００５０】
こうすることにより、図５に示すように、照明部３０は、画角長手方向において、撮像範囲Ａの双方の画角付近（直線１０１ａ付近、及び、直線１０１ｂ付近）に、リフレクタ面３６０ａ、３６０ｂで反射された照明光を投光することができる。
【００５１】
次に、画角短手方向（ｙ軸方向）における照明部３０の構成について説明する。
【００５２】
図７は、図１に示す読取装置１の側面（図３に示すリフレクタ面３６０ａと対向する方向）から見た場合の照明部３０における照明レンズ３０１を介して投光される照明光の様子を示す図である。なお、図７では、各リフレクタ面３６０で反射される光の様子を示し、各リフレクタ面３６０で反射せずにレンズ面３５０ｂを出射する光の様子を省略する。
【００５３】
画角長手方向と同様（例えば、図４及び図５を参照）、各リフレクタ面３６０ｃ，３６０ｄで反射された光が撮像部１０の撮像範囲の端部に照射されるように、画角短手方向における撮像光軸ｚ１０と光軸ｚ３０との差（ズレ）に応じて、各リフレクタ面３６０と撮像部１０の撮像面（ここではｘ軸と平行）との間の角度が決定される。
【００５４】
具体的には、図７において、リフレクタ面３６０ｃと撮像部１０の撮像面（ｙ軸）との間の角度φｃは、撮像部１０の撮像範囲のうち、光軸ｚ３０に対してリフレクタ面３６０ｃと反対側の領域の端部（撮像範囲の下端部周辺。図示せず）にリフレクタ面３６０ｃで反射される光（照明光３０１ｃ）が投光されるように決定される。
【００５５】
同様に、図７において、リフレクタ面３６０ｄと撮像部１０の撮像面（ｙ軸）との間の角度φｄは、撮像部１０の撮像範囲のうち、光軸ｚ３０に対してリフレクタ面３６０ｄと反対側の領域の端部（撮像範囲の上端部周辺。図示せず）にリフレクタ面３６０ｄで反射される光（照明光３０１ｄ）が投光されるように決定される。
【００５６】
例えば、画角短手方向（ｙ軸方向）において、光軸ｚ１０と光軸ｚ３０とが同程度の場合、図７に示す角度φｄ（つまり、撮像部１０と反対側の広がり角）と角度φｃ（つまり、撮像部１０側の広がり角）とを同程度にすればよい。一方、画角短手方向（ｙ軸方向）において、光軸ｚ１０が光軸ｚ３０よりもリフレクタ面３６０ｃ側に存在する場合、図７に示す角度φｄ（つまり、撮像部１０と反対側の広がり角）を、角度φｃ（つまり、撮像部１０側の広がり角）よりも大きくすればよい。
【００５７】
このように、画角短手方向においても、照明部３０（光軸ｚ３０）と撮像部１０（光軸ｚ１０）との位置関係に応じて、リフレクタ面３６０ｃ、３６０ｄにおける角度φｃ、φｄがそれぞれ決定される。
【００５８】
換言すると、照明レンズ３０１を形成する４面のリフレクタ面３６０には、画角短手方向で互いに対向するリフレクタ面３６０ｃ及びリフレクタ面３６０ｄのペアが含まれる。そして、リフレクタ面３６０ｃ及びリフレクタ面３６０ｄのペアにおいて、撮像部１０から遠い一方のリフレクタ面３６０と撮像部１０の撮像面とが成す角度φは、撮像部１０に近い他方のリフレクタ面３６０と撮像面とが成す角度φよりも大きくなる。
【００５９】
こうすることにより、照明部３０は、画角短手方向において、撮像部１０の撮像範囲の双方の画角付近に、リフレクタ面３６０ｃ、３６０ｄで反射された照明光を投光することができる。
【００６０】
以上、照明レンズ３０１の構成について説明した。
【００６１】
以上説明したように、撮像部１０の片側に照明部３０を配置した読取装置１において、照明レンズ３０１は、照明用光源３０２から発せられる光が入射するレンズ面３５０ａと、光が出射するレンズ面３５０ｂと、レンズ面３５０ａとレンズ面３５０ｂとの間の側面に形成され、光が撮像部１０の撮像範囲の端部に照射されるように光を反射させるリフレクタ面３６０と、を含む。
【００６２】
ここで、図８に示すように、一般的に、レンズ面のみを用いる場合には、照明部の光軸方向（z軸方向）における照明レンズと照明用光源との距離（Ｌ１と呼ぶ）を長くして集光性を向上させることができるが、距離Ｌ１が長くなる分、照明用光源から照明レンズに入射されない光が増加してしまう。また、照射レンズに入射されない光の増加を防ぐためには、図８に示すように、更に、照明部の光軸方向に直交する方向（ｙ軸方向）における照明レンズの幅（Ｌ２と呼ぶ）も広くする必要がある。つまり、レンズ面のみを用いて撮像平面全体に照明光を投光するためには照明部のサイズが大きくなってしまう。一方、距離Ｌ１が短い場合には、光の集光における収差によって撮像範囲の画角周辺の光量が低下してしまう。
【００６３】
これに対して、本実施の形態では、照明部３０は、照明レンズ３０１のリフレクタ面３６０で反射されずにレンズ面３５０ａ，３５０ｂで集光された照明光のみでは光量が低下してしまう撮像範囲の端部（画角周辺）に対して、リフレクタ面３６０で反射された照明光を補足的に投光する。つまり、照明部３０は、単一の照明レンズ３０１によるレンズ効果及びリフレクタ効果の双方を利用して撮像範囲全体に照明光を投光することにより、撮像部１０の撮像範囲全体に照明光を照射することができる。
【００６４】
よって、本実施の形態によれば、撮像部１０の片側に照明部３０（照明用光源３０２）が設けられる構成でも、撮像部１０の撮像範囲全体に照明光を均一に照射することができる。
【００６５】
また、本実施の形態では、距離Ｌ１が短い場合（つまり、レンズ面３５０による集光では画角周辺の光量が低下してしまう場合）でも、照明部３０では、レンズ面のみを用いる場合と比較して、照明レンズ３０１の幅Ｌ２を広くする必要がない。よって、本実施の形態によれば、照明レンズ３０１の小型化及びコストダウンを図ることができる。
【００６６】
更に、本実施の形態によれば、照明部３０は、リフレクタ面３６０で反射される光を、撮像部１０の光軸方向において、撮像範囲のうち、照明用光源３０２の光軸に対して当該リフレクタ面３６０と反対側（対角）の領域に投光する。これにより、撮像範囲の端部に照明光を投光するために、リフレクタ面３６０の撮像面に対する角度φをより大きく設定することができるので、照明レンズ３０１の形状（幅）が増加することを防ぎ、照明レンズ３０１の小型化及びコストダウンを図ることができるぐことができる。
【００６７】
（他の実施の形態）
（１）上記実施の形態では、リフレクタ面３６０の傾き（図６に示すφａ、φｂ）を設定する場合について説明したが、読取装置１の照明部３０は、撮像部１０の光軸ｚ１０と照明部３０の光軸ｚ３０との差（ずれ）に応じてレンズ面３５０の傾き（曲率）を設定してもよい。これにより、撮像レンズ１０１の撮像範囲全体に照明光を効率良く照射することができる。
【００６８】
（２）上記実施の形態では、リフレクタ面３６０を反射した光が、撮像部１０の撮像光軸において、撮像範囲のうち、照明用光源３０２の光軸に対して当該リフレクタ面と反対側（対角）の領域に投光される場合について説明したが、これに限定されない。例えば、リフレクタ面３６０を反射した光は、撮像部１０の撮像光軸において、撮像範囲のうち、照明用光源３０２の光軸に対して当該リフレクタ面と同一の側の領域に投光されてもよい。
【００６９】
（３）上記実施の形態では、照明レンズ３０１が４面のリフレクタ面３６０ａ〜３６０ｄで形成される場合について説明したが、照明レンズ３０１は、４面よりも多くのリフレクタ面３６０を備えてもよい。これにより、照明部３０は、リフレクタ面３６０で反射される光による撮像範囲への照明光の投光をより多くの方向に対して精度良く行うことができる。
【００７０】
（４）照明レンズ３０１の形状は、図３に示すような四角柱に限定されず、四角柱以外の多角柱でもよい。すなわち、照明レンズ３０１は、図３に示すリフレクタ面３６０ａ及びリフレクタ面３６０ｂのように互いに対向するペアを有するリフレクタ面３６０を備える多角柱であればよい。
【００７１】
（５）照明レンズ３０１（リフレクタ）の形状は、図３に示すような角柱に限定されず、円柱又は楕円柱でもよい。
【００７２】
照明レンズ３０１が円柱又は楕円柱の場合、照明レンズ３０１は、照明用光源３０２から発せられる光が入射するレンズ面と、照明光が外部へ出射するレンズ面と、２つのレンズ面の間の側面に形成され、光が撮像範囲の端部に照射されるように光を反射させるリフレクタ面とを含む。また、リフレクタ面において、撮像部１０から最も遠い母線と撮像部１０の撮像面とが成す角度が、撮像部１０に最も近い母線と撮像部１０の撮像面とが成す角度よりも大きくなるように設計されている。
【００７３】
こうすることにより、上記実施の形態（照明レンズ３０１が角柱の場合）と同様、照明部３０は、撮像部１０の撮像範囲の双方の画角付近に、リフレクタ面で反射された照明光を投光することができる。
【産業上の利用可能性】
【００７４】
本発明は、光学的に情報を読み取るシステムに有用である。
【符号の説明】
【００７５】
１  情報読取装置
１０  撮像部
２０  エイミング部
３０  照明部
４０  制御部
５０  筐体
１０１  撮像レンズ
１０２  撮像センサ
３０１  照明レンズ
３０２  照明用光源
３５０  レンズ面
３６０  リフレクタ面
３７０  取付部
【図１】
2018132701.tif 000003
【図２】
2018132701.tif 000004
【図３】
2018132701.tif 000005
【図４】
2018132701.tif 000006
【図５】
2018132701.tif 000007
【図６】
2018132701.tif 000008
【図７】
2018132701.tif 000009
【図８】
2018132701.tif 000010